(57)【特許請求の範囲】
【請求項１】
密閉容器の中に電動要素と、圧縮要素を収納して、前記電動要素の回転子のエンドリングに一体的に形成された角でバランスウエイトを取り付け固着せしめた密閉形回転圧縮機において、圧縮要素側のバランスウエイトは前記角を挿通する孔を設けた部分を他の部分より薄くなるように一体成型された１個の第１バランスウエイトと、前記エンドリング側に配置される１個または複数個の重なりからなる第２バランスウエイトに分割されるとともに、前記第１バランスウエイトと前記第２バランスウエイトを前記角により前記エンドリングに取り付け固着したことを特徴とする密閉型回転圧縮機。
【請求項２】
請求項１に記載の密閉型圧縮機を備えたことを特徴とするエアコンディショナ。
【請求項３】
請求項１に記載の密閉型圧縮機を備えたことを特徴とする冷蔵庫。
【発明の詳細な説明】
【０００１】
【発明の属する技術分野】
本発明はエアコンディショナ，冷蔵庫などに使用される密閉形回転圧縮機に関するものである。
【０００２】
【従来の技術】
従来、密閉形回転圧縮機は圧縮要素のアンバランスを補正し振動を小さくするため、電動要素の回転子のエンドリングにバランスウエイトを固着することが一般的である。
【０００３】
図３にロータリー式密閉形回転圧縮機の縦断面図を示す。図３において、１は密閉容器、２は電動要素、３は固定子、４は回転子、５は軸、６は圧縮要素、７はローラー、８はシリンダー室、９はエンドリング、１０，１１はバランスウエイトである。図４は従来の回転子の部分斜視図である。バランスウエイト１０はエンドリング９と一体に成形された角１２に取り付け、固着されている。圧縮要素の大きさ、たとえばシリンダー室８の容量が変われば圧縮要素６のアンバランス量は変わる。したがって、圧縮要素６のアンバランスを補正するための電動要素２の回転子４のエンドリング９に固着するバランスウエイト１０，１１の大きさを変える必要がある。バランスウエイト１０，１１は、ダイカスト，鍛造，焼結などによって一体に成型されているためバランスウエイトを成型する金型を変更する必要がある。図５は他の従来例の回転子の部分斜視図である。バランスウエイト１０３は、薄板をプレスにて打ち抜き複数枚積層しエンドリング９の角１２に取り付け固着されている。
【０００４】
【発明が解決しようとする課題】
しかし、上記従来例において以下のような問題点があった。
【０００５】
バランスウエイト１０，１１が、ダイカスト，鍛造，焼結などによって一体に成型されているため、圧縮要素６のアンバランス量に合わせてバランスウエイト１０，１１の大きさを変える場合、バランスウエイト１０，１１を成型する高価な金型を作成する必要がある。かりに１０種類の圧縮要素６の大きさがあれば、圧縮要素６のアンバランスによる振動を最も小さくするためには、バランスウエイト１０，１１の大きさも１０種類にすることが理想であるが、バランスウエイト１０，１１を成型する金型が高価なために、振動を小さくすることを犠牲にしてバランスウエイト１０，１１の大きさを５〜７種類としている。上記問題を解決するために、図５のバランスウエイト１０３のように薄板をプレスにより打ち抜き複数枚積層することも考えられるが、図４のバランスウエイト１０を固着する場合の角１２に較べて、エンドリング９の角１２の長さを長くする必要がある。エンドリング９と角１２はダイカストにより一体に成型されており、角１２が長くなると充填不足になりやすくなり、角１２の強度が低くなりバランスウエイト１０３が遠心力により外れるという問題が生じやすかった。
【０００６】
本発明は上記問題を解消し、振動が小さく安価な密閉形回転圧縮機を提供することを目的とする。
【０００７】
【課題を解決するための手段】
この目的を達成するために、電動要素の回転子のエンドリングにバランスウエイトを一個の第１のバランスウエイトと一個または複数個の第２のバランスウエイトに軸方向に分割して固着したものである。また、第１のバランスウエイトをダイカスト，鍛造，焼結などにてエンドリングに固着する穴を設けた部分を他の部分より薄くなるように一体成型し、第２のバランスウエイトを薄板のプレス成型とし、エンドリング側に第２のバランスウエイトを一枚または複数枚配置し固着したものである。
【０００８】
【発明の実施の形態】
以下本発明の一実施の形態について、図面を参照しながら説明する。
【０００９】
図１は本発明の一実施の形態による密閉形回転圧縮機の縦断面図である。図２は本発明の一実施の形態による密閉形回転圧縮機の回転子の部分斜視図である。
【００１０】
第１のバランスウエイト１０１と一枚または複数枚の第２のバランスウエイト１０２を軸方向に分割しエンドリング９と一体に成型された角１２に取り付け固着されている。また、第１のバランスウエイト１０１はダイカスト，鍛造，焼結などにてエンドリング９に固着する穴を設けた部分１３を他の部分より薄くなるように一体成型している。第２のバランスウエイト１０２は、薄板をプレス成型し、エンドリング側に一枚または複数枚配置し固着している。
【００１１】
上記構成により、バランスウエイトを軸方向に２分割しており、また第１のバランスウエイト１０１をダイカスト，鍛造，焼結などにてエンドリング９に固着する穴を設けた部分１３を他の部分より薄くなるように一体成型し、第２のバランスウエイト１０２を薄板のプレス成型とし、エンドリング側に第２のバランスウエイト１０２を一枚または複数枚配置し固着しているため、圧縮要素６の大きさの種類に対応してバランスウエイトの金型を多数造ることなく、バランスウエイトの大きさを変えることが容易である。また、バランスウエイトを固着する角１２を長くする必要がなく、遠心力によりバランスウエイトが外れる問題は生じない。
【００１２】
【発明の効果】
以上のように本発明は、バランスウエイトを軸方向に２分割しており、また第１のバランスウエイト１０１をダイカスト，鍛造，焼結などにてエンドリング９に固着する穴を設けた部分１３を他の部分より薄くなるように一体成型し、第２のバランスウエイト１０２を薄板のプレス成型とし、エンドリング側に第２のバランスウエイト１０２を一枚または複数枚配置し固着しているため、圧縮要素６の大きさの種類に対応してバランスウエイトの金型を多数造ることなく、バランスウエイトの大きさを変えることが容易にでき、密閉形回転圧縮機の振動を小さくすることができる。また、バランスウエイトを固着する角１２を長くする必要がなく、エンドリング９と角１２を一体にダイカスト成型する際に、角１２が充填不足になることがなく角１２の強度が低下することがないため、遠心力によりバランスウエイトが外れる問題は生じない。
【００１３】
第１のバランスウエイトと第２のバランスウエイトの枚数調整だけで圧縮要素６の大きさに対応できるため、バランスウエイトが標準化でき安価となる。
【図面の簡単な説明】
【図１】本発明の一実施の形態による密閉形回転圧縮機の縦断面図
【図２】本発明の一実施の形態による密閉形回転圧縮機の回転子の部分斜視図
【図３】従来の密閉形回転圧縮機の縦断面図
【図４】従来の回転子の部分斜視図
【図５】他の従来の回転子の部分斜視図
【符号の説明】
１  密閉容器
２  電動要素
３  固定子
４  回転子
５  軸
６  圧縮要素
７  ローラー
８  シリンダー室
９  エンドリング
１０，１１，１０１，１０２，１０３  バランスウエイト
１２  角
１３  エンドリングに固着する穴を設けた部分
【図１】
0003562061.tif 000002
【図２】
0003562061.tif 000003
【図３】
0003562061.tif 000004
【図４】
0003562061.tif 000005
【図５】
0003562061.tif 000006